Podtech/llm-jp-corpus-v4-ja_patent huggingface dataset:
(57)【要約】【課題】暑くなって帽子を脱いだ時、手に持つことで片手がふさがり不自由であり、暑くても両手を使いたい場面では我慢して一旦被ったりまた脱いだりと面倒であった。  脱いだり被ったりを繰り返すことで帽子の置き忘れ原因の一つにもなったりしていた。本発明は、帽子のつばをロックしてホルダーにすることができる帽子つばロック式ホルダー具を提供する。【解決手段】スティック状本体の上端部に回転式リング部と帽子つば用ストッパー部を設け、反対側の後端部に移動可能なアジャスター式帽子本体用ストッパーを設けたことを特徴とする帽子つばロック式ホルダー具。【選択図】図１
2017115286.tif 000002
【特許請求の範囲】
【請求項１】
スティック状本体の上端部に回転式リング部と帽子つば用ストッパー部を設け、反対側の下端部に移動可能なアジャスター式式帽子本体用ストッパー設けた帽子つばロック式ホルダー具。
【発明の詳細な説明】
【技術分野】
【０００１】  本発明は帽子のつばをロックするホルダー具に関するものである。
【技術背景】
【０００２】  従来、帽子を被っている時、頭が暑くなって脱いだ場合、移動中などは手に持っていた。
【発明の概要】
【発明が解決しようとする課題】
【０００３】  暑い日などの帽子は、時に脱ぎたかったりするものである。
頭が暑くなって脱いだ時、手に持つことで片手がふさがり不自由であり暑くても両手を使いたい場面では我慢して一旦被ったりまた脱いだりと面倒であった。
脱いだり被ったりを繰り返すことで、帽子の置き忘れ原因の一つにもなったりしていた。
本発明は以上の問題点を解決するためになされたものである。
【課題を解決するための手段】
【０００４】  スティック状本体の上端部に回転式リング部と帽子つば用ストッパー部を設け、反対側の下端部に移動可能なアジャスター式帽子本体用ストッパーを設ける。
以上の構成よりなる帽子つばロック式ホルダー具。
【発明の効果】
【０００５】  従来帽子を脱いだら手に持つのが普通であったが、本発明にナスカン等を繋げて使用すれば、ズボンのベルトループなどに引っ掛けることができ、帽子を被らない時も手に持ち続ける必要もなく両手を自由に使うことができる。
また、つばをロックすることで帽子本体繊維への負荷も少なく型崩れする心配もない。帰宅後はホルダー状態のまま壁のフック等に掛けることもできる。
【図面の簡単な説明】
【０００６】
【図１】本発明の上から見た斜視図
【図２】本発明の下から見た斜視図
【図３】本発明の取付け状態を示す断面図
【図４】本発明の使用状態図
【発明を実施するための形態】
【０００７】  以下、本発明の実施の形態を説明する。
（イ）スティック状本体（１）上端部にナスカン（１０）等を繋げることのできる回転式      リング部（２）と帽子つば用ストッパー部（３）を設ける。
（ロ）図３に示すように、回転式リング部（２）とスティック状本体（１）との間は空洞      になっており、スティック状本体（１）に対して回転式リング部（２）は３６０度      回転できるようになっている。
（ハ）スティック状本体（１）の下端部には移動可能なパーツとしてアジャスター式帽子      本体用ストッパー（５）を設ける。
（ニ）図３に示すように、アジャスター式帽子本体用ストッパー（５）には、上面に帽子      本体用ストッパー突起部（６）を、また下面にはロック用爪部（７）と一対になっ      ているロック解除用突起部（８）と、ロック解除用補助突起部（９）が設けられて      いる。
（ホ）図２に示すように、スティック状本体（１）の下面にはラチェット部（４）が形成      されており、アジャスター式帽子本体用ストッパー（５）に付いているロック用爪      部（７）がしっかりとラチェット部（４）に噛むように出来ている。
本発明は以上のような構造である。
【０００８】本発明を使用するときの取付け方法としては、スティック状本体（１）の帽子つば用ストッパー部（３）に帽子つば（１１）を押し当てた状態で、反対側の下端部に設けられているアジャスター式帽子本体用ストッパー（５）を内側にスライドさせることにより、帽子本体（１１）と帽子つば（１０）を挟み込むようにロックする。
そして回転式リング部（２）にナスカン（９）等を繋いで、ズボンのベルトループ（１３）などに引っかければ、帽子を脱いだ時でも手に持ち続ける必要もなく両手を自由に使える。
アジャスター式帽子本体用ストッパー（５）の下面に付いているロック用爪部（７）がスティック状本体（１）下面のラチェット部（４）と噛み合うことにより、帽子つば（１１）をしっかりと挟持して帽子本体（１２）が本発明より簡単に外れて落ちることがない。
取り外し方法としては、アジャスター式帽子本体用ストッパー（５）下面に付いているロック解除用補助突起部（９）とロック解除用突起部（８）に指を添えて引っ張ることで、ロック用爪部（７）をスティック状本体（１）下面のラチェット部（４）より浮かせ、ロックが解除された状態でアジャスター式帽子本体用ストッパー（５）をスティック状本体（１）下端部にスライドさせ、帽子つば（１１）を本発明より外せばよい。
【符号の説明】
【０００９】１  スティック状本体、２  回転式リング部、３  帽子つば用ストッパー部、
４  ラチェット部、５  アジャスター式帽子本体用ストッパー、
６  帽子本体用ストッパー突起部、７  ロック用爪部、８  ロック解除用突起部、
９  ロック解除用補助突起部、１０  ナスカン、１１  帽子つば、１２  帽子本体、
１３  ベルトループ
【図１】
2017115286.tif 000003
【図２】
2017115286.tif 000004
【図３】
2017115286.tif 000005
【図４】
2017115286.tif 000006
(57)【要約】【課題】  マスクを長時間装着することで、息つきが苦しくなり、そのうちにアゴマスクになったり、外したりで不便さがありました。  本発明は、長時間装着していても楽に呼吸できるオープンマスクを提供する。【解決手段】  上部マスク部と下部マスク部の２枚で構成される、オープンマスクであり、オープンマスクの両端には、耳に掛けるためのゴムが設けられていることを特徴とするオープンマスク。【選択図】図１
2017115285.tif 000002
【特許請求の範囲】
【請求項１】
上部マスク部と下部マスク部の２枚で構成される、オープンマスクであり、オープンマスクの両端には、耳に掛けるためのゴムが設けられていることを特徴とするオープンマスク。
【発明の詳細な説明】
【技術分野】
【０００１】  本発明は、マスク装着時、呼吸しやすい様に工夫されたオープンマスクに関するものである。
【背景技術】
【０００２】  従来、マスクを長時間装着していると、息つきが苦しくなり、そのうち、アゴマスクになったり、マスクを外したりで、不便な部分があった。
【先行技術文献】
【特許文献】
【０００３】
【特許文献１】  特開２００９−２４７８４１号広報
【発明の概要】
【発明が解決しようとする課題】
【０００４】  肺の病におかされた身内がいて、マスク装着をとても嫌い、余計に呼吸が苦しいと言われ、この問題を解決するためになされたものである。
【課題を解決するための手段】
【０００５】  マスクの口元に当たる部分に切れ目があり、開いている。普段は普通のマスクで先方からはその切れ目は見えないようにデザインで可能にした。
【発明の効果】
【０００６】  従来のマスクを本発明により、長時間装着していても呼吸しやすい様にした。
本発明は多機能として利用できる。例えば病気の方々の使いみち、すっぴんかくし、寒さしのぎ等・・・多様である。
【図面の簡単な説明】
【０００７】
【図１】  本発明の上部に当たる部分を示す正面図
【図２】  本発明の下部に当たる部分
【図３】  本発明の上部と下部の端が重なり合った状態を示す正面図
【発明を実施するための形態】
【０００８】  以下、本発明の実施の形態を説明する。
上部マスクの下端は下方へ突出する湾曲部が設けられている。この湾曲によって下部の開きが先方からはわからないのである。
また、下部マスク部の上端は下方へ凹んだ湾曲部が設けられている。この湾曲によって、上部と下部が重なった時に大きく開き、口元の線に沿ってマスクの湾曲が違和感なくきれいである。
また、上部マスク部の下端と下部マスク部の上端が重なり合い、上部マスク部が下部マスク部よりも前側にくる様に設け、両側端で接着固定している。
本発明は以上のような構造である。
【符号の説明】
【０００９】  １オープンマスク、２上部マスク、３下部マスク、４ゴム、５湾曲部
【図１】
2017115285.tif 000003
【図２】
2017115285.tif 000004
【図３】
2017115285.tif 000005
(57)【要約】【課題】冬場は顔を温かく保ち、夏場は熱外気を遮断するアルミ遮熱シート入り寒暖調節マスクを提供する。【解決手段】耳かけひもとノーズワイヤーを備えたマスクにおいて、外側ガーゼまたは不織布層、アルミ遮熱シート層、内側ガーゼまたは不織布ポケット層の３層で形成されるのであるが、アルミ遮熱シートは、片面がアルミ材のような熱反射効率の良い素材で形成され、その反対面がポリエチレンまたはポリエステル材のような断熱効果の高い柔軟性を有する素材で形成され、内側ガーゼまたは不織布ポケット層は、ノーズワイヤーよりやや下から下方全域に備えられ、その開口部は、本体横幅の８割程度まで広がり、残りの２割程度が両サイド端域で閉口部として本体に縫着され、アルミ遮熱シートは、寒暖に応じ自在に表裏をひっくり返して開口部に挿入して使用されることを特徴とするアルミ遮熱シート入り寒暖調節マスク。【選択図】図１
2017115284.tif 000002
【特許請求の範囲】
【請求項１】
耳かけひもとノーズワイヤーを備えたマスクにおいて、外側から、外側ガーゼまたは不織布層、アルミ遮熱シート層、内側ガーゼまたは不織布ポケット層の３層で形成されるのであるが、アルミ遮熱シートは、片面がアルミ材のような熱反射効率の良い素材で形成され、これをアルミ遮熱シート表面と称し、その反対面がポリエチレンまたはポリエステル材のような断熱効果の高い柔軟性を有する素材で形成され、これをアルミ遮熱シート裏面と称し、内側ガーゼまたは不織布ポケット層は外側ガーゼまたは不織布層の縦幅９割程度の大きさで、ノーズワイヤーよりやや下から下方全域に備えられ、ノーズワイヤー下の開口部は、本体横幅の８割程度まで広がり、残りの２割程度が両サイド端域で内側ポケット閉口部として本体に縫着され、アルミ遮熱シートは、内側ガーゼまたは不織布ポケット層の９割程度の大きさで、寒暖に応じ自在に表裏をひっくり返して開口部に挿入して使用されることを特徴とするアルミ遮熱シート入り寒暖調節マスク。
【発明の詳細な説明】
【技術分野】
【０００１】  本発明は、風邪や花粉飛散時に装着する医療用マスクに、冬場の寒さや夏場の暑さをしのぐための機能を兼ね備えた、アルミ遮熱シート入り寒暖調節マスクに関するものである。
【背景技術】
【０００２】  従来、インフルエンザ流行時や花粉飛散時は、医療用マスクを装着した上からマフラーなどで更に鼻と口元を覆い、冬場の寒さをしのいでいた。
また、暑い夏場に風邪やアレルギー対策でマスクを装着することは、敬遠されがちだった。
【発明の概要】
【発明が解決しようとする課題】
【０００３】  医療用マスクは、インフルエンザの飛沫感染や花粉の侵入を防ぐ機能に特化してるため、冬場の冷たい外気は通してしまっていた。医療用マスクでは、顔の表面温度を保てず、防寒目的を兼ねることは不可能だった。
夏場は強い日射しが注いでいるため、顔面をマスク布で覆われると、よりいっそう暑さが増し不快であった。
本発明は、以上の問題点を解決するためになされたものである。
【課題を解決するための手段】
【０００４】  耳かけひもとノーズワイヤーを備えたマスクにおいて、外側から、外側ガーゼまたは不織布層、アルミ遮熱シート層、内側ガーゼまたは不織布ポケット層の３層で形成されるのであるが、アルミ遮熱シートは、片面がアルミ材のような熱反射効率の良い素材で形成され、これをアルミ遮熱シート表面と称し、その反対面がポリエチレンまたはポリエステル材のような断熱効果の高い柔軟性を有する素材で形成され、これをアルミ遮熱シート裏面と称する。内側ガーゼまたは不織布ポケット層は外側ガーゼまたは不織布層の縦幅９割程度の大きさで、ノーズワイヤーよりやや下から下方全域に備えられ、ノーズワイヤー下の内側ポケット開口部は、本体横幅の８割程度まで広がり、残りの２割程度が両サイド端域で内側ポケット閉口部として本体に縫着され、アルミ遮熱シートは、内側ガーゼまたは不織布ポケット層の９割程度の大きさで、寒暖に応じ自在に表裏をひっくり返して開口部に挿入して使用される。
以上の構成よりなるアルミ遮熱シート入り寒暖調節マスクである。
【発明の効果】
【０００５】  従来、不可能とされていた医療用マスクによる保温防寒は、アルミ遮熱シート裏面を外側に向けて挿入すると、冷たい外気を断熱する特徴と、アルミ遮熱シート表面が顔の体温を熱反射し温かい空気を逃さず保つ特徴に富むため、マスク内部の保温性を高めることで可能にした。逆に、医療用マスクによる夏の暑さ対策は、アルミ遮熱シート表面を外側に向けて挿入し、強い日射しを反射し遮る特徴と、アルミ遮熱シート裏面が暑い外気を断熱する特徴に富むため、マスク内部に熱がこもらず涼感を保つことで解決する。
本発明は、アルミ遮熱シートが強い日射しを強力に反射するため、夏場は日焼け防止対策目的としても装着ができる。
【図面の簡単な説明】
【０００６】
【図１】本発明の斜視図
【図２】本発明の斜視図
【発明を実施するための形態】
【０００７】  以下、本発明の実施の形態を説明する。
耳かけひも（５）とノーズワイヤー（６）を備えたマスクにおいて、外側から、外側ガーゼまたは不織布層（１）、アルミ遮熱シート層（３）、内側ガーゼまたは不織布ポケット層（２）の３層で形成されるのであるが、アルミ遮熱シート層（３）は、片面がアルミ材のような熱反射効率の良い素材で形成され、これをアルミ遮熱シート表面（８）と称し、その反対面がポリエチレンまたはポリエステル材のような断熱効果の高い柔軟性を有する素材で形成され、これをアルミ遮熱シート裏面（９）と称する。内側ガーゼまたは不織布ポケット層（２）は外側ガーゼまたは不織布層（１）の縦幅９割程度の大きさで、ノーズワイヤー（６）よりやや下から下方全域気に備えられ、ノーズワイヤー（６）下の内側ポケット開口部（７）は、本体横幅の８割程度まで広がり、残りの２割程度が両サイド端域で内側ポケット閉口部（４）として本体に縫着され、アルミ遮熱シート層（３）は、内側ガーゼまたは不織布ポケット層（２）の９割程度の大きさで、寒暖に応じ自在に表裏をひっくり返して開口部に挿入して使用される。
本発明は以上のような構造である。
本発明を使用するときは、防寒目的では、アルミ遮熱シート層（３）を、アルミ遮熱シート表面（８）が顔面に向くように、内側ガーゼまたは不織布ポケット層（２）の内側ポケット開口部（７）から入れ、内側ポケット閉口部（４）下まで広げ、鼻と口元を覆うようにして、ノーズワイヤー（６）を鼻の形に合わせ固定し、耳かけひも（５）を両耳にかけて使用する。夏の暑さ対策では、アルミ遮熱シート層（３）を、アルミ遮熱シート裏面（９）が顔面に向き、アルミ遮熱シート表面（８）が外側ガーゼまたは不織布層（１）側に向くように、内側ガーゼまたは不織布ポケット層（２）の内側ポケット開口部（７）から入れ、内側ポケット閉口部（４）下まで広げ、鼻と口元を覆うようにして、ノーズワイヤー（６）を鼻の形に合わせ固定し、耳かけひも（５）を両耳にかけて使用する。
【符号の説明】
【０００８】１  外側ガーゼまたは不織布層
２  内側ガーゼまたは不織布ポケット層
３  アルミ遮熱シート層
４  内側ポケット閉口部
５  耳かけひも
６  ノーズワイヤー
７  内側ポケット開口部
８  アルミ遮熱シート表面
９  アルミ遮熱シート裏面
【図１】
2017115284.tif 000003
【図２】
2017115284.tif 000004
(57)【要約】【課題】  鍋つまみの取っ手を折り畳むことにより、効率的な鍋蓋の収納を実現する、折り畳み鍋つまみを提供する。【解決手段】  鍋つまみの取っ手の根元部分に支点を設け、取っ手が支点を介して回転することを特徴とする折り畳み鍋つまみ。【選択図】図１
2017196366.tif 000002
【特許請求の範囲】
【請求項１】
鍋つまみの取っ手の根元部分に支点を設け、取っ手が支点を介して回転することを特徴とする折り畳み鍋つまみ。
【発明の詳細な説明】
【技術分野】
【０００１】  本発明は、鍋の蓋を複数枚まとめて収納する場合等に、効率的に収納することを目的とした、折り畳み鍋つまみに関するものである。【０００２】  従来、複数の鍋を収納する場合は、鍋と蓋を別々にまとめて収納することがある。その際、鍋は大きい物の中に順次小さい物を入れ、蓋は立てて並べたり重ねる等をして収納していた。【０００３】  尚、本発明に関連する先行技術文献のうち、当該特許出願時に調査したものがないので、開示すべき先行技術文献情報はない。
【発明の概要】
【０００４】  従来より、次のような問題点があった。
（イ）鍋の蓋をまとめて収納する場合、蓋の中央に突っ起状に鍋つまみが取り付けられているために、立てて並べても重ねても安定が悪く、かなりの収納スペースを要していた。
（ロ）そのために、収納庫内の整理に支障があった。
本発明は、以上の問題点を解決しようとするものである。
【課題を解決するための手段】
【０００５】  鍋つまみの取っ手の根元部分に支点を設け、取っ手が支点を介して回転することで、取っ手を折り畳む。
以上を特徴とする折り畳み鍋つまみである。
【発明の効果】  本発明は、鍋蓋を収納する場合、収納スペースを省き、安定良く効率的に収納することができる。
【図面の簡単な説明】
【０００６】
【図１】本発明の斜視図である。
【図２】本発明の使用状態を示した側面図である。
【図３】本発明の収納状態を示した側面図である。
【本発明を実施するための形態】
【０００７】  以下、本発明の実施の形態を説明する。
（イ）縦に分割された鍋つまみの取っ手（Ａ）の根元に支点（Ｃ）を設け、鍋つまみ台座（Ｂ）に取り付ける。
（ロ）鍋つまみ本体は、鍋蓋（Ｄ）の中央にビス（Ｅ）で固定する。
本発明は以上のような構造から成り、鍋蓋の使用時には鍋つまみ取っ手（Ａ）を垂直方向に起こし、収納時には、支点（Ｃ）を介して回転させ、水平方向に折り畳む。
【０００８】  鍋つまみ取っ手（Ａ）は垂直に起こした際、垂直位置で回転を止めるためためのストッパー機能を備える。
【０００９】  本発明は鍋つまみ取っ手を縦に２分割し、２方向へ折り畳む形態を基本形態とするが、２分割以上複数方向への折り畳み、又は無分割１方向へ折り畳む形態も、折り畳み鍋つまみとする。
【符号の説明】
【００１０】      Ａ  鍋つまみ取っ手
Ｂ  鍋つまみ台座
Ｃ  支点
Ｄ  鍋蓋
Ｅ  ビス
【図１】
2017196366.tif 000003
【図２】
2017196366.tif 000004
【図３】
2017196366.tif 000005
(57)【要約】【課題】  ひざの悪い人が、椅子に座ってひざを曲げる運動を行いたいが、適当な運動具も見当たらず、椅子に座ってひざを曲げる運動は不可能だった。  本発明は、ひざの悪い人が椅子に座って、ひざを曲げる運動をするための運動具を提供する。【解決手段】  ボールに空気孔を設け、ボールに網カバーを被せ、ボールの両側に網カバーを利用して持手を設け、ボールと持手の間に接続部を設けたことを特徴とするひざ曲げ運動具。【選択図】図１
2017196371.tif 000002
【特許請求の範囲】
【請求項１】
ボールに空気孔を設け、ボールに網カバーを被せ、ボールの両側に網カバーを利用して持手を設け、ボールと持手の間に接続部を設けた、ひざ曲げ運動具。
【発明の詳細な説明】
【技術分野】
【０００１】  本発明は、ひざの悪い人が、ひざを曲げる運動を行うときに使用できるひざ曲げ運動具に関するものである。
【背景技術】
【０００２】  従来、ひざの悪い人は、歩いたり、曲げると痛みを感じるので、運動として主に、お風呂に入って温めて曲げる。
ボールを使用する場合は、座って両足を曲げて、太ももの間にボールをはさみ、ボールを潰すように力を入れては抜く運動がある。
なお、椅子を利用する場合は、椅子に座り両足を交互にゆっくり２０ｃｍほど、すりすり前後に動かす運動が知られている。
【発明の概要】
【発明が解決しようとする課題】
【０００３】  ひざの悪い人が、椅子に座ってひざを曲げる運動を行いたいが、適当な運動具も見当たらず、椅子に座ってひざを曲げる運動は不可能だった。
本発明は、以上の問題点を解決するためになされたものである。
【課題を解決するための手段】
【０００４】  ボールに空気孔を設け、ボールに網カバーを被せ、ボールの両側に網カバーを利用して持手を設け、ボールと持手の間に接続部を設ける。
以上の構成よりなるひざ曲げ運動具。
【発明の効果】
【０００５】  従来、ひざの悪い人が運動具を利用して、ひざを曲げることは、不可能とされていたが、本発明により可能にし、安全にひざを曲げる運動ができる。
本発明は、ひざの悪い人だけでなく、健常者の人もひざの筋肉を伸ばし、鍛えることにより、ひざ痛の予防に利用できる。
【図面の簡単な説明】
【０００６】
【図１】  本発明の斜視図である。
【図２】  本発明の使用状態を示した斜視図である。
【発明を実施するための形態】
【０００７】  以下、本発明の実施の形態について説明する。
（イ）ボール（１）に、空気孔（３）を設ける。
（ロ）ボール（１）に、網カバー（４）を被せて、ボール（１）の両側に、網カバー（４）を利用して、持手（２）を設ける。
（ハ）持手（２）が外れないように、持手止部（６）を設ける。
（ニ）ボール（１）と持手（２）の間に、接続部（５）を設ける。
本発明は以上のような構造である。
本発明を使用するときは、ボール（１）の空気孔（３）に空気を入れ、ボール（１）の中心が、たとえば、直径約１２ｃｍ〜約１３ｃｍぐらいを目安に使用する人に合わせて膨らます。
ボール（１）が準備できると、椅子（７）に座り、左ひざ（８）を上げてボール（１）を置き、ボール（１）の両側の持手（２）を両手で握る。
はじめに、ボール（１）の上に、左ひざ（８）をのせた左足（１０）を内側に無理をせず、曲げる。
膝蓋靭帯、大腿四頭筋腱、外側内側広筋を伸ばす。
ひざ関節を広げる感じで、そのまま５秒間止めて力を抜く。
続いて、約５秒間止めていた左足（１０）を垂直に上げる。
左ひざ（８）の裏側の筋肉、アキレス腱、腓腹筋、ヒラメ筋、大腿二頭筋を伸ばし、約５秒間止めて下げる。
この動作を１回とする。
このくり返し運動を１０回〜１５回程度行う。
１日２回、朝夕に分けて行うと効果が大きい。
右足（１１）も同様に行うと、左ひざ（８）右ひざ（９）の筋肉、関節を伸ばしながら行う運動である。
ひざに負担をかけず、神経、筋違いの縺れを治しながら鍛えられる利点がある。
２ヵ月〜３ヵ月続けていると、ひざの違和感や痛みもなくなる。
運動時間も１回に付き４分〜５分と短く、取り組みやすい運動である。
柔らかいボール（１）は、左ひざ（８）右ひざ（９）の筋肉、関節を伸ばしながら曲げる役目をし、持手（２）は両手で握ることで安全な運動ができる。
また、空気孔（３）は使用する人に合わせた大きさに空気調整ができる利点がある。
【符号の説明】
【０００８】１  ボール
２  持手
３  空気孔
４  網カバー
５  接続部
６  持手止部
７  椅子
８  左ひざ
９  右ひざ
１０  左足
１１  右足
【図１】
2017196371.tif 000003
【図２】
2017196371.tif 000004
(57)【要約】【課題】手元に料理に関する必要な情報があり、気軽にそれを逐一確認しながら調理を遂行することを可能とする。【解決手段】文字、絵、図案、又は漫画などで、料理用語集、出汁等調理の基本、食材の処理方法、調味料等の使用方法、調理チェックリスト、調理器具の使用方法、又はそれらにかかる注意事項等、料理に関する参考事項を調理器具等に記載する。【選択図】なし【特許請求の範囲】
【請求項１】
文字、絵、図案、又は漫画などで、料理用語集、出汁等調理の基本、食材の処理方法、調味料等の使用方法、調理チェックリスト、調理器具の使用方法、又はそれらにかかる注意事項等、料理に関する参考事項を記した鍋蓋並びに釜の蓋。
【請求項２】
文字、絵、図案、又は漫画などで、料理用語集、出汁等調理の基本、食材の処理方法、調味料等の使用方法、調理チェックリスト、調理器具の使用方法、又はそれらにかかる注意事項等、料理に関する参考事項を記したトレー・バット等食材入れ容器。
【請求項３】
文字、絵、図案、又は漫画などで、料理用語集、出汁等調理の基本、食材の処理方法、調味料等の使用方法、調理チェックリスト、調理器具の使用方法、又はそれらにかかる注意事項等、料理に関する参考事項を記した包丁、お玉等の調理器具。
【請求項４】
文字、絵、図案、又は漫画などで、料理用語集、出汁等調理の基本、食材の処理方法、調味料等の使用方法、調理チェックリスト、調理器具の使用方法、又はそれらにかかる注意事項等、料理に関する参考事項を記した、請求項１乃至３に記した調理器具等に貼付するシール。
【発明の詳細な説明】
【技術分野】
【０００１】
本発明は、調理場において、スムーズに料理を遂行できるようにする情報の提供方法に関するものである。
【背景技術】
【０００２】
料理法等に関する情報は、本やインターネットで大量に提供されている。
【０００３】
それらの必要な情報を予め頭に叩き込んで調理にとりかかることが理想ではあるが、通常、なかなかそううまくはいかない。
【０００４】
そのため、うろ覚えで料理をし、失敗してしまったといった話もよく耳にする。
【０００５】
そこで、本を片手にページをめくりながら、あるいはパソコンの画面を覗き込みながら包丁等調理器具を操作することになるが、これは非常に面倒であるとともに、濡れた手などで本などに触れることもためらわれる。
【発明の開示】
【発明が解決しようとする課題】
【０００６】
解決しようとする問題点は、手元に料理に関する必要な情報があり、気軽にそれを逐一確認しながら調理を遂行することを可能とする点にある。
【課題を解決するための手段】
【０００７】
料理に必要な情報を、料理に使用する調理器具等から得られるようにすればよい。
【０００８】
そこで、これらの情報を調理器具等に記載する。
【発明の効果】
【０００９】
この発明により、初心者でも容易に、又、スムーズに料理を行い、完成させることが可能となる。
(57)【要約】【課題】従来の傘を濡れた状態で閉じて持ち歩く場合服などが濡れてしまうこと、濡れるのを防ぐためにカバーを用意し装着する手間がかかってしまうこと   傘の形状が限られたものになっていて新しい形状の傘がなくてファッションとしての幅が少なかった【解決手段】傘本体に濡れた部分を収納する部品を取り付けて収納部品に傘の骨組みと一緒に濡れた部分を収納する  今までの傘とは違った機構により傘の形状が既存の傘と違いファッションとしての幅が広がった【選択図】図２
2017196131.tif 000002
【特許請求の範囲】
【請求項１】
傘の骨組みの収納方法
【請求項２】
傘の形状
【発明の詳細な説明】
【技術分野】
【０００１】
本発明は雨に濡れた傘が服などに接触して濡れることがないように濡れている部分を収納することができるようにしたものである
【背景技術】
【０００２】
従来の傘は雨に濡れた場合、カバーをかぶせるしか服などとの接触を回避する方法がなかった
【先行技術文献】
【特許文献】
【０００３】
【特許文献１】特開２０１１−００５２２４号広報
【発明の概要】
【発明が解決しようとする課題】
【０００４】
濡れた傘が閉じた状態で服などに接触し服などが濡れる欠点があった
【０００５】
濡れた傘と服などの接触を回避するためのカバーを用意し装着する手間がかかっていた
【課題を解決するための手段】
【０００６】
傘の骨組みを中央の軸となる棒に向かって折れ曲がるようにし、傘を閉じる際に傘の中央部分の収納部品に傘の骨組みが引き込まれるように傘を収納することで傘を閉じたときに濡れた部分が服などと接触しないようにした
【発明の効果】
【０００７】
傘を閉じた際に濡れた部分が直接服などと接触しなくなったので他人の服や所持品を濡らしてしまうことがなくなる
【０００８】
濡れた部分との接触を回避するためにカバーを用意し装着する手間が省ける
【０００９】
今までにない傘の形状なのでデザイン的にも好ましい
【図面の簡単な説明】
【００１０】
【図１】傘が開いている場合の仕組みを説明する側面の断面図
【図２】傘が閉じている場合の仕組みを説明する側面の断面図
【発明を実施するための形態】
【００１１】
傘を閉じる場合は図１の７を下までおろすことで２が連動して４に１を収納する
【符号の説明】
【００１２】
１  骨組み
２  稼働部品
３  部品A
４  収納部品
５  軸棒
６  傘本体持ち手
７  部品A持ち手
【図１】
2017196131.tif 000003
【図２】
2017196131.tif 000004
(57)【要約】【課題】  円筒形柄の先端側面部上に、本体文字の写真を貼付し、押すやすくする傾きのない屈折判子を提供する。【解決手段】  円筒形柄の先端側面上に、四角形面を形成し、その上に貼付台を設け、印面に彫られた、同一文字の屈折写真を貼付し、標準文字として設け、前記写真の傾向を調整しながら、押印をつまむ方の腕を脇腹に付け、まっすぐな判子を押すことを特徴とする傾きのなた屈折判子。【選択図】図１
2017196884.tif 000002
【特許請求の範囲】
【請求項１】
円筒形柄の先端側面部上に、四角面を形成し、その上面に貼付台を設け、印面に彫られた同一文字の屈折写真を貼付し、標準文字として設け、前期写真の傾向を調整しながら押す印をつまむ方の腕を脇腹に付け、まっすぐな判子を押すことを特徴とする傾きのない屈折判子。
【発明の詳細な説明】
【技術分野】
【０００１】  本発明は、円筒形柄の先端側面部上に、本体文字の写真を貼付し、押すやすくする傾きのない屈折判子に関するものである。
【背景技術】
【０００２】  従来、実印と異なり、日常認め印を使用した時は、左右の傾きは別として横、反対と故意に押しても、これに対する規則が無く、勝手気ままが許されていた。
但し、判子だけは、人の物を頼まれても変って押すことは許されていない。
【発明の概要】
【発明が解決しようとする課題】
【０００３】  そのために、次のような問題点があった。
（イ）判子の柄は棒状であり、傾きを見ることができないために、棒状側面上に指当てが設けられているが、効果なくまっすぐに押すことができなく効率が悪かった。
（ロ）日本人なら誰もがまっすぐに判を押したいと思っているはずと言われているが、中には、富裕層の人達が装飾品として、高価な象牙品等の認め印を見せかけにしていた。
本発明は、以上の問題点を解決するためになされたものである。
【課題を解決するための手段】
【０００４】  円筒形柄の先端側面部上に、四角面を形成し、その上面に貼付台を設け、印面に彫られた同一文字の屈折写真を、標準文字として設ける。
前期写真の傾向を調整しながら押し印をつまむ方の腕を脇腹に付ける。以上を特徴とする傾きのない屈折判子である。
【発明の効果】
【０００５】  四角四面  判子の傾きは、誰しもが簡単に判明できるが、円筒形になると、傾きの目当ては難しいもので、押す印の失敗は当面のことであるとされていた。
上述したように本発明の傾きのない屈折判子は、円筒形先端側面部を四角面に形成し、貼付された文字を調整しながら押すことができ、効果を発揮する感度の高い判子を提供できるものである。
【図面の簡単な説明】
【０００６】
【図１】  本発明の斜視図
【図２】  本発明の使用状態を示す斜視図
【発明を実施するための最良の形態】
【０００７】  以下、本発明の形態を説明する。
（イ）屈折判子本体（１）の屈折体側面部（２）に、四角形の貼付部（３）を設ける。
（ロ）四角形の貼付台（６）に、本体文字（４）の写真（５）を貼付するように設ける。
（ハ）指当て（７）に人指し指（８）を当てた腕（９）を脇腹（１０）に寄せ付ける屈折判子本体（１）を紙面に押すようにする。
本発明は、以上の構成よりなっている。
本発明を使用するときは、屈折判子本体（１）を紙面に押し、押された本体文字（４）を写真（５）にとり、貼付台（６）に設け、見えなかった本体文字（４）の代替えとして、決められた個所に、まっすぐに納まるように目的を達成されたものである。
目的解決手段による操作は、次の通りである。すなわち、失敗なくまっすぐに押すには、貼付台（６）に設けた本体の屈折写真と、四角台を目当てに腕（９）を脇腹（１０）に寄せ付けることにより、傾向の調整は、自在にでき真っすぐに押す腕前効果が得られるものである。
【符号の説明】
【０００８】  １  屈折判子
２  側面部
３  貼付部
４  本体文字
５  写真
６  貼付台
７  指当て
８  人差し指
９  腕
１０  脇腹
【図１】
2017196884.tif 000003
【図２】
2017196884.tif 000004
(57)【要約】      （修正有）【課題】ダンボール等の印刷用印版の収納保管作業は、大きくて重い印版が多く、保管スペースの制約上、印版収納ラックの収納筒は極めて狭いスペースに横列に固定されて連なっている。作業者はその収納筒に印版を挿入する為、隣接する整版フイルムの裾部が妨げとなる事から足で押し広げたり、他の作業者の応援を求めたりしており、工場によっては１日数百点にも及ぶ印版収納作業が危険、かつ非効率な作業状態で日々続けてられている。安全、効率的な作業用ラックの提供。【解決手段】印版収納筒を２筒ずつ独立させて横レールにリングや吊り金具で吊り下げて連結させ、収納筒の横移動を可能とする事により、印版収納筒間の片側の隙間が自在に広げられ、フイルム裾部が隣接するフイルム裾部に閊える事無く安全で効率的な印版収納作業の確立を可能とする。【選択図】図２
2017074766.tif 000002
【特許請求の範囲】
【請求項１】
整版フイルム収納筒を２筒ずつ独立させ、横レールにリングや吊り金具等で吊り下げて連結させ、収納筒の横方向へのスライドを２筒単位で可能にした事を特徴とした印版収納ラック。
【発明の詳細な説明】
【技術分野】
【０００１】  本発明は、ダンボール等の印刷用印版の保管に関するものであり、印版の保管に使用されている印版ラックに工夫を施す事により当該作業が安全かつ効率的に運用されるものである。
【背景技術】
【０００２】  従来から、ダンボール等の印刷用印版は重く大きい事から、強靭なフイルムに印版を貼り込んで整版されている。
その印版の保管はフイルムの上下両端に硬化樹脂の止め棒を施し、横列に数十枠程固定されて連なる印版ラックの収納筒の差し込み孔に印版フイルムを１枚から３枚の単位で挿入し、止め棒で落下しない様に吊るした状態で保管している。（図１参照）
【発明の開示】
【発明が解決しようとする課題】
【０００３】  しかし現状の印版収納作業は、印版保管スペースの制約から極めて狭い収納筒間の差し込み孔への印版挿入を強いられている。
よって、整版フイルムの垂れ下がった裾部分が隣接する収納フイルムの裾部に閊える為、やむを得ず足で押し広げたり、他の作業者の応援を求めたりして当該作業を実施している。
これら危険で非効率的な作業を早急に解決しなければならない課題が印刷現場に放置されている。（図１参照）
【課題を解決するための手段】
【０００４】  この課題を解決する為、請求項１の発明は整版フイルム収納筒を２筒ずつ独立させ、印版ラックに施した横方向のレールにリングや吊り金具で吊り下げて連結させる。
この事により収納筒の横方向のスライドを可能にして収納筒間の隙間を２筒単位で自在に広げられる事から、挿入時整版フイルム裾部が隣接するフイルム裾部に閊える事無く安全で効率的な印版収納作業を可能とする。（図２参照）
【発明の効果】
【０００５】  本発明により、
１．印版収納作業の安全性が向上する。
２．作業労力の負担軽減となる。
３．印版収納作業の効率化が図れる。
４．印版の破損防止に繋がる。
５．作業者のストレスが大幅に緩和出来る。
【発明を実施するための最良の形態】
【０００６】  図２は、印版収納筒を横レールにリングや吊り金具で吊り下げ、横方向に移動可能にした斜視図である。
この工夫により、収納筒差し込み孔が隣接する片側の収納筒との隙間が設けられ、フイルム裾部が閊える事無く安全で効率的な印版収納作業を可能とする。【０００７】  これら印版ラックの素材は、金属や、プラスチック等を用いる。
【産業上の利用可能性】
【０００８】  本発明に係る印版ラックは、成型や組み立て等従来と同じ方法で工業的に量産出来る、或いは既存のラックを改良しての取り付けも容易に可能である。
更に、印版保存の理想状態は冷暗所である事から当該印版ラックは人の目が届き難い設置場所となる、かつ数十年という極めて長期に亘り使用される事から、あえて電気を使用しない改善の工夫は漏電等電気事故の回避、環境性及び経済性に於いて考慮される重要なポイントとなり、これら諸条件を具備する事から、本発明製品の利用可能性は極めて高い。
【図面の簡単な説明】
【０００９】
【図１】（１）従来の印版ラック作業状態の全体斜視図である。（２）従来の印版ラックの固定された差し込み孔部の斜視図である。
【図２】（１）収納筒を２筒ずつ独立させ、横レールに吊り金具で吊り下げて連結させた斜視図である。（２）本発明ラックによる使用状態の全体斜視図である。
【符号の説明】
【００１０】    Ａ．印版ラック
Ｂ．差し込み孔
Ｃ．切り込み溝
Ｄ．整版フイルム
Ｅ．止め棒
Ｆ．印版
Ｇ．印版区分表示
Ｈ．収納筒
Ｉ．吊り金具
Ｊ．レール
Ｋ．滑り材
【図１】
2017074766.tif 000003
【図２】
2017074766.tif 000004
(57)【要約】【課題】  この発明は、複数枚の紙を留めることだけを目的として身近に置いておいたゼムクリップをより強度に書類を留めてかつ多目的に使えるように、ゼムクリップを２重形状にしたことにより、紙の留め方や使用方法が多様となり、多目的な活用を可能にしたことで利便性を高めた２重ゼムクリップを提供する。【解決手段】    ゼムクリップにおいて、ゼムクリップの外側に針金を延長させ、外側にゼムクリップの形状を設け、ゼムクリップを２重の構造にして、必要に合わせて強く留めたり手で角度をつけて開いて多目的に使用出きる仕様にしたことを特徴とした２重ゼムクリップ。【選択図】図１
2017074765.tif 000002
【特許請求の範囲】
【請求項１】
ゼムクリップにおいて、ゼムクリップの外側に針金を延長させ、外側にゼムクリップの形状を設け、ゼムクリップを２重の構造にして、必要に合わせて強く留めたり、手で角度をつけて開いて多目的に使用できる仕様にしたことを特徴とした２重ゼムクリップ。
【発明の詳細な説明】
【技術分野】
【０００１】  この発明は、複数枚の紙を留めることだけを目的として身近に置いておいたゼムクリップをより強度に書類を留めてかつ多目的に使えるように、ゼムクリップを２重形状にしたことにより、紙の留め方や使用方法が多様となり、多目的な活用を可能にしたことで利便性を高めた２重ゼムクリップに関するものである。
【背景技術】
【０００２】  広く使われている細長い長円形のゼムクリップは、複数枚の紙を留めるために開発されたものであるが、既に発展させた商品も見られる。ひとつめの方向としては、デザイン重視で針金を曲げる形を変化させ、機能は従来のままとして意匠登録をして発展させているもの（特許文献５参照）。
ふたつめの方向は、ゼムクリップ本来の紙を留めるという機能の強化として、より強く留める、しわを付けず留める等、留める機能を発展させるために開発されたもの（特許文献１、特許文献２、特許文献３参照）。３つめの方向は本来の紙を留めること以外の機能を付加し留める機能そのものは従来通りのもの（特許文献４参照）。
この発明は紙を留める機能の強化も可能で、かつ多機能多目的にも使えるようにしたことに特徴がある。
【先行技術文献】
【特許文献】
【０００３】
【特許文献１】特開２００４−２３７６３５号公報
【特許文献２】特開２００２−３２１４７９号公報
【特許文献３】実開平６−４２２３５号公報
【特許文献４】特開２００６−２１３０４６号公報
【特許文献５】意匠登録第１３３７３２９号公報
【発明が解決しようとする課題】
【０００４】  従来のゼムクリップは、紙を留めるだけのものであったが、２重ゼムクリップであれば多機能のため、便利な身近な文具として活用が広がる。
従来のゼムクリップは留める資料の大きさや厚さによって商品サイズを選んでいたので複数のサイズを常備しておく必要があったが、２重ゼムクリップは留める個所が５ヵ所あるばかりでなく、留め方の方法も多種可能なため複数のサイズのクリップを常備する必要がなくなった。そして広く使われているゼムクリップより、強く留めること書類の厚みに対応することが可能である。
２重ゼムクリップは、本来の機能以外にプライスカード立てやフック等多機能である。
従来は、それぞれ専用の別の商品を使う必要があったが、２重ゼムクリップがあれば幅広い用途に対応可能である。
以上の欠点を解決するためになされたものである。
【課題を解決するための手段】
【０００５】  ゼムクリップにおいて、ゼムクリップの外側に針金を延長させ、外側にゼムクリップの形状を設け、ゼムクリップを２重の構造にして、必要に合わせて強く留めたり、手で角度をつけて開いて多目的に使用出きる仕様にしたことを特徴とした２重ゼムクリップ。
【発明の効果】
【０００６】  机の上に身近に置いておくゼムクリップの留める機能が強化されるばかりか多目的に活用できて利便性が高まる。
【図面の簡単な説明】
【０００７】
【図１】  本発明の斜視図である。
【図２】  本発明の使用状態を示す斜視図である
【発明を実施するための形態】
【０００８】  以下、本発明の実施の形態を説明する。
ゼムクリップにおいて、ゼムクリップの外側に針金を延長させ、外側にゼムクリップの形状を設け、ゼムクリップを２重の構造にして、必要に合わせて手で角度をつけて開いて多目的に使用出きる仕様にしたことを特徴とした２重ゼムクリップ。
金属製のゼムクリップの外側にもうひとつゼムクリップが繋がっている形状である。
使用目的にあわせて手で広げて角度をつけて使用することを推進する。
ゼムクリップ本来の目的通り書類を留める際の書類差込口は５ヵ所、書類の差込口▲１▼（１）、書類の差込口▲２▼（２）、書類の差込口▲３▼（３）、書類の差込口▲４▼（４）、書類の差込口▲５▼（５）あり、書類の大きさに最適な個所で留める。
また、書類の差込口▲１▼（１）と書類の差込口▲３▼（３）にそれぞれ別の書類を分けて留めた上でひとつの書類としてまとめることが可能である。
同じく、書類の差込口▲１▼（１）と書類の差込口▲３▼（３）を同時に一つの書類に使って、より強く留めることも可能である。
さらに、書類の差込口▲１▼（１）と書類の差込口▲２▼（２）を一つの書類に留めると開いて使用する際の支点▲２▼（７）と開いて使用する際の支点▲３▼（８）が交差することにより、厚い書類をより強く留めることが可能。
支点▲１▼で開く際の力点（９）を開いて使用する際の支点▲１▼（６）の支点で１８０度開き、支点▲１▼で開く際の力点（９）をフックとして活用するとメモ用紙を下げるツールとして活用可能である。
支点▲２▼で開く際の力点（１０）を開いて使用する際の支点▲２▼（７）の支点で開くとプライスカード立てとして活用可能である。
【符号の説明】
【０００９】  １  書類の差込口▲１▼
２  書類の差込口▲２▼
３  書類の差込口▲３▼
４  書類の差込口▲４▼
５  書類の差込口▲５▼
６  開いて使用する際の支点▲１▼
７  開いて使用する際の支点▲２▼
８  開いて使用する際の支点▲３▼
９  支点▲１▼で開く際の力点
１０  支点▲２▼で開く際の力点
１１  支点▲３▼で開く際の力点
【図１】
2017074765.tif 000003
【図２】
2017074765.tif 000004
(57)【要約】【課題】    従来、例えば封筒をクリップに留めしようとする場合、片手で封筒を持ち、もう一方の手でクリップ操作する必要があり、クリップから取り外す場合も同様で、クリップ留め及び取外しいずれの場合でも両手でのクリップ操作が必要であった。そこで、本発明により片手でかつ最小限の動作の中でクリップ留め及び取外しが出来るクリップを提供する。【解決手段】  本発明品に例えば封筒を留める場合、本発明品先端の間隙部に封筒を差し込みその封筒を差し込む一連の動作の中でクリップ留め操作をすることが出来、封筒を本発明品から外す場合、封筒をつかむ一連の動作の中でクリップを開放する操作を行うことが出来る機構を有し、いずれの操作も片手でかつ必要最小限の動作の中で行うことが出来るクリップであることを特徴とする。【選択図】図１
2017074763.tif 000002
【特許請求の範囲】
【請求項１】
シーソー型をした台座の両端に押さえ用磁石、開放用磁石、台座の中央に取付用磁石が配され、台座の下にガイド板が取り付けられた構造からなり、押さえ用磁石とガイド板の間に例えば封筒などを挟み入れガイド板を押すことで封筒などをクリップ留めすることが出来、封筒などをクリップから外す際も封筒をつかみガイド板と本発明品が取り付けられている設置面との間にできたすき間に指を入れガイド板を手前にずらすことで取り外すことが出来る、クリップ留めも取り外しもいずれも片手で行うことが出来ることを特徴とするクリップ。
【請求項２】
請求項１に記載の本発明品と同様の構造をしており、更に鋼板製ベースプレートを用いることにより木製の壁などにも使用することが出来ることを特徴とするクリップ。
【発明の詳細な説明】
【発明の詳細な説明】
【技術分野】
【０００１】  本発明は、磁石を用いたクリップに関するものであり、クリップ留めする場合もクリップから外す場合もいずれも片手で必要最小限の動作の中で行うことが出来る機構を有したクリップに関するものである。
【背景技術】
【０００２】  従来、磁石を用いたクリップは鋼製面にクリップ本体を吸着させ、紙片などを洗濯バサミのように挟んで留めるか又は磁石の吸着力を利用して磁石と鋼製面の間に紙片などを挟んで留めるかのいずれかである。
【発明の概要】
【発明が解決しようとする課題】
【０００３】  従来の磁石を用いたクリップは例えば封筒をクリップに留めようとする場合、片手で封筒を持ちもう一方の手でクリップ操作する必要があり、クリップから外す場合も同様で、クリップ留め及び取外しいずれの場合も両手での操作が必要であった。そこで本発明は、片手でかつ必要最小限の動作にてクリップ留め及び取外しが出来るクリップを提供することを目的とする。
【課題を解決するための手段】
【０００４】  本発明品に例えば封筒を留める場合、本発明品先端の間隙部に封筒を差し込みその封筒を差し込む一連の動作の中でクリップ留め操作をすることが出来、封筒を本発明品から外す場合、封筒をつかむ一連の動作の中でクリップを開放する操作を行うことが出来る機構を有し、いずれの操作も片手でかつ必要最小限の動作の中で行うことが出来るクリップであることを特徴とする。
【発明の効果】
【０００５】  本発明により、電源等を用いないクリップでありながら、片手で必要最小限の動作にてクリップ留め及び取外しが出来るクリップを実現した。
【図面の簡単な説明】
【０００６】
【図１】斜視図
【図２】断面図
【図３】断面図
【図４】（ａ）〜（ｃ）はクリップ留め及び取外しの操作を説明するための図である。
【発明を実施するための最良の形態】
【０００７】  以下、請求項１に記載の本発明を実施するための最良の形態について説明する。
中央部で適当な角度で曲げられた台座（１）の両端に押さえ用磁石（２）、開放用磁石（３）、台座（１）の中央部に取付用磁石（４）が配され、台座（１）の下にガイド板（５）が取り付けられた構造となっている。ここでガイド板（５）は中央部で台座（１）の曲げ角度より浅い角度で曲げられており、又、下方部で適当な角度で曲げられている。【０００８】  請求項２に記載の本発明は、上述した構造からなるクリップを木製壁（７）などでも使えるように対策を施したものであり、鋼板製ベースプレート（６）を木製壁（７）などに固定し、固定された鋼板製ベースプレート（６）に上述クリップを吸着させて使用する。【０００９】  以下図４（ａ）乃至（ｃ）を参照して片手で一連の動作の中でのクリップ操作を説明する。
図４（ａ）はクリップが開放状態の図で鋼製面（８）に取付用磁石（４）及び開放用磁石（３）が吸着された状態であり、この時、台座（１）とガイド板（５）の間には紙片などを挟むための間隙が生じている。この間隙に例えば封筒（９）を挟み込み、その封筒（９）を持っている手でガイド板（５）を押すことにより、てこの原理から今まで吸着していた開放用磁石（３）が鋼製面（８）から遠ざかり、代わって押さえ用磁石（２）が鋼製面（８）に近づき、押さえ用磁石（２）が鋼製面（８）に一定以上近づいた時に押さえ用磁石（２）は封筒（９）をクリップ留めした状態で鋼製面（８）に吸着する。それが図４（ｂ）の状態である。【００１０】  図４（ｂ）はクリップ留め状態の図で、鋼製面（８）に取付用磁石（４）及び押さえ用磁石（２）が吸着した状態であり、この時、鋼製面（８）とガイド板（５）下方部には間隙が生じている。
この間隙に指を入れ、ガイド板（５）を手前にずらすことにより、てこの原理から今まで吸着していた押さえ用磁石（２）が鋼製面（８）から遠ざかり代わって開放用磁石（３）が鋼製面（８）に近づき、開放用磁石（３）が鋼製面（８）に一定以上近づいた時、開放用磁石（３）は鋼製面（８）に吸着する。それが図４（ｃ）の状態である。この際、間隙に指を入れると同時にその手で封筒をつかむことにより、図（ｃ）の状態に移行した後に封筒を取り外すことが出来る。【００１１】  本発明品に用いられる押さえ用磁石（２）、開放用磁石（３）及び取付用磁石（４）は強力な磁力を有するネオジム磁石を用い、又、一定以上の磁力を有する磁石を使用する。
【符号の説明】
【００１２】１  台座
２  押さえ用磁石
３  開放用磁石
４  取付用磁石
５  ガイド板
６  鋼板製ベースプレート
７  木製壁
８  鋼製面
９  封筒
【図１】
2017074763.tif 000003
【図２】
2017074763.tif 000004
【図３】
2017074763.tif 000005
【図４】
2017074763.tif 000006
(57)【要約】【課題】従来から、曲がり部分や厚みのある立体を作成するためには、立体形状に合わせた形で部品を切り出し、それら部品の接着や縫製が必要であった。本発明はこうした問題を鑑みて、接着や縫製の必要がなく、どんな形も自在に作ることができ、自由に組みかえが可能である、立体を作るためのパーツを提供するものである。【解決手段】本発明は、一つのパーツの四方のそれぞれの一方に差し込む部分凸部と、差し込まれる穴が在するものである。本パーツの、差し込む部分凸部を差し込まれる穴に差し込むことにより、接着や縫製の必要がなく、どんな形状のものでも作成でき、作り直しも可能なものである。【選択図】図１
2017074329.tif 000002
【特許請求の範囲】
【請求項１】
一つのパーツの同一方向に差し込み部凸部と差し込まれ部の穴を有するパーツ、およびそれを利用した製品。
【請求項２】
一つのパーツで平面でも筒でも、コーナーでも作成可能なパーツおよびそれを利用した製品。
【発明の詳細な説明】
【技術分野】
【０００１】
本発明は、自由に形状を作るための組み替え可能なパーツに関する。
【背景技術】
【０００２】
従来から、曲がり部分や厚みのある立体を作成するためには、立体形状に合わせた形で部品を切り出し、それら部品の接着や縫製が必要であった。
【発明の概要】
【発明が解決しようとする課題】
【０００３】
本発明はこうした問題を鑑みて、接着や縫製の必要がなく、
どんな形も自在に作ることができ、
自由に組みかえが可能である、
立体を作るためのパーツを提供するものである。
【課題を解決するための手段】
【０００４】
本発明は、一つのパーツの四方のそれぞれの一方に差し込む部分凸部と、差し込まれる穴が在するものである（図１参照）。合計８箇所。
本パーツの、差し込む部分凸部を差し込まれる穴に差し込むことにより、接着や縫製の必要がなく、どんな形状のものでも作成でき、作り直しも可能なものである。
【発明の効果】
【０００５】
本発明により、接着や縫製の必要がなく、パーツを組み合わせることにより、自由な形状を作成することが出来るものである。
【０００６】
本発明により、一つでも筒状のもの、袋物の作成が可能である。
【０００７】
本発明により、カバンを作成することもできる。
袋部分のみならず、持ち手も作成出来、また、本体と持ち手をつなげることも接着や縫製なしで行える。
本体底面と側面が有する角度については、緩やかなカーブの角部を挟んで、垂直にすることも、斜めにすることもできる。
【図面の簡単な説明】
【０００８】
【図１】発明した基本パーツ１。
【図２】発明した基本パーツ２。
【図３】発明した基本パーツ３。
【図４】発明した基本パーツ１ の組み合わせ方
【図５】図４の組み合わせにより出来た、組み合わせ後の形状
【図６】発明した基本パーツ１、２、３を用いて上端を直線にした組み合わせの例。
【発明を実施するための形態】
【０００９】
次に図面を参照しながら実施例の説明を行う。本発明は以下の実施例に限定されるものではない。
【実施例】
【００１０】
図１は、本発明を利用した、パーツである。
差し込み部A、B、C、Dを差し込み穴イ、ロ、ハ、ニに差し込んで利用するものである。
図２、図３はカバンの上面等を直線にするために使うパーツである。
【００１１】
図４は図１のパーツを差し込もうとしている図である。
差し込み部A、B、C、Dを差し込み穴イ、ロ、ハ、ニに差し込もうとしている図である。
【００１２】
図５は図４に示す差込み、差し込まれを行った後の形状を示している。
本実施例では差し込み後に十字が浮き上がるパーツの例となっている。
【００１３】
図６はかばん上部などを直線にするために図１のパーツに加えて、図２、図３を差し込んだものである。
【００１４】
図１のパーツは、差し込み方により、様々な形状を生み出すことが出来る。
図１の差し込み部Aを同パーツ内の差し込み穴ロに、また差し込み部Cを差し込み穴ニに差し込むことで筒となることができる。
差し込み部Bと差し込み穴イは右隣にパーツ図１’を準備し、差し込み穴ハと差し込み部Dに差し込み、この動作を繰り返すことでカバンなどの手ヒモとすることもできる。
【００１５】
カバンなどの角部についても差し込み穴と差し込み部の関係を変えつつ使用することで、様々な角部を作成することが出来る。
【産業上の利用可能性】
【００１６】
本発明は様々な形を作るパーツとして利用可能である。
【図１】
2017074329.tif 000003
【図２】
2017074329.tif 000004
【図３】
2017074329.tif 000005
【図４】
2017074329.tif 000006
【図５】
2017074329.tif 000007
【図６】
2017074329.tif 000008